(57)【特許請求の範囲】
【請求項１】
前面に表示部および操作キーを備える一方、前面以外の外周面に、設定スイッチを備え、
前記操作キーおよび前記設定スイッチによって当該制御機器の機能設定を可能とし、
前記設定スイッチによる機能設定を、切り換え操作に応じて、有効または無効に選択する切り換え操作部を備え、
前記切り替え操作部の切り替え操作に応じて、前記設定スイッチの機能設定が有効と選択されたときには、
前記操作キーによる機能設定のモードでは、全ての機能設定の項目から、前記設定スイッチで既に設定されている機能設定の項目を除いた、差分の機能設定の項目のみを、前記表示部に表示することを特徴とする制御機器。
【発明の詳細な説明】
【０００１】
【発明の属する技術分野】
本発明は、タイマ、カウンタあるいは温度調節器等の各種の制御機器に関する。
【０００２】
【従来の技術】
この種の制御機器、例えば、デジタルタイマでは、秒や分といった時間レンジ、加算や減算といった入力モード、信号応答時間、出力モードなどの各種の機能設定を、本体ケースの上面等に配置されたデップスイッチで行うものがある。
【０００３】
このようなディップスイッチによって機能を設定するデジタルタイマでは、ディップスイッチの数が制限されるために、設定できる機能の数も限定されたものとなる。このため、多くの機能の設定が必要な用途には、計時値等を表示する表示部に近接して前面に配置されている操作キーを操作して各種の機能設定を行うデジタルタイマが使用されている。
【０００４】
【発明が解決しようとする課題】
ディップスイッチで機能を設定する従来例では、より多くの機能設定が必要な用途に使用したくても対応することができず、また、操作キーによって多くの機能を設定する従来例では、キー操作によって、所望の機能の項目を選択して設定するのであるが、多数の機能の項目が、キー操作に応じて順次に表示部に表示されて設定可能となるものであり、このため、設定する必要のない不必要な機能の項目をスキップするための操作が必要になるといった難点がある。
【０００５】
本発明は、上述の点に鑑みて為されたものであって、機能設定の数が少なくてもよいユーザは、少ない数の機能設定を行える一方、多くの機能設定が必要なユーザは、従来例よりも簡単に、必要な機能設定を行えるようにすることを目的とする。
【０００６】
【課題を解決するための手段】
本発明では、上述の目的を達成するために、次のように構成している。
【０００７】
すなわち、本発明の制御機器は、前面に表示部および操作キーを備える一方、前面以外の外周面に、設定スイッチを備え、前記操作キーおよび前記設定スイッチによって当該制御機器の機能設定を可能とし、前記設定スイッチによる機能設定を、切り換え操作に応じて、有効または無効に選択する切り換え操作部を備え、前記切り替え操作部の切り替え操作に応じて、前記設定スイッチの機能設定が有効と選択されたときには、前記操作キーによる機能設定のモードでは、全ての機能設定の項目から、前記設定スイッチで既に設定されている機能設定の項目を除いた、差分の機能設定の項目のみを、前記表示部に表示する。
【０００８】
本発明によると、前面の操作キーによる機能設定と、例えば、本体ケースの上面といった前面以外の外周面に配置されたディップスイッチ等の設定スイッチによる機能設定とを行えるので、機能設定の数が少なくてもよいユーザは、設定スイッチによって必要な機能の設定を行える一方、多くの機能設定が必要なユーザは、設定スイッチと操作キーとを併用することによって、従来例よりも簡単に、必要な機能設定を行えることになる。
【００１０】
本発明によると、切り換え操作部の操作によって、設定スイッチと操作キーとを併用した機能設定あるいは従来と同様に、操作キーのみによる機能設定を選択できることになる。
【００１２】
本発明によると、設定スイッチは、前面以外の、例えば、本体ケースの上面などの外周面に設けられるので、当該制御機器を、その前面が外部に臨むように制御盤などに装着したときには、前面以外の本体ケースは制御盤内に収納された状態となる。このため、設定スイッチの設定状態を、制御盤の外から確認するのが困難であるが、操作キーの操作によって、前面の表示部に設定状態を表示できるので、制御盤に装着した後でも簡単に設定スイッチの設定状態を確認できることになる。
【００１４】
本発明によると、操作キーによる機能設定に際しては、設定スイッチで既に設定されている有効な機能は、表示部に表示されないので、従来例に比べてスキップ操作が低減されることになり、設定操作が簡単になる。
【００１５】
【発明の実施の形態】
以下、図面によって、本発明の実施の形態について、詳細に説明する。
【００１６】
（実施の形態１）
図１は、本発明の一つの実施の形態に係る制御機器としてのタイマ１の正面図であり、図２はその平面図である。
【００１７】
タイマ１の正面（前面）には、計時値およびプリセット値などを表示する矩形の表示部２が設けられるとともに、モードキー３、リセットキー４、各４個のアップキー５およびダウンキー６からなるキー操作部が設けられている。
【００１８】
このキー操作部の操作によって、後述のように各種の機能の設定を行うことができるとともに、この実施の形態では、このキー操作部の操作によって、当該タイマ１を、タイマあるいはツインタイマのいずれの機種として動作させるかの機種選択を行えるようになっている。
【００１９】
タイマ１の本体ケース７の上面には、設定部として、８連のディップスイッチ８が設けられており、また、背面側には、複数の端子９が設けられている。
【００２０】
設定部としてのディップスイッチ８の設定操作によって、後述のように機能の設定を行うことができるとともに、このディップスイッチ８による機能の設定が有効であるか無効であるかを切り換え選択できるように構成されている。
【００２１】
図３は、このタイマ１の機能ブロック図であり、図１および図２に対応する部分には、同一の参照符号を付す。
【００２２】
このタイマ１は、上述の各キー３〜６のキー入力を受け付けるキー入力部１０と、外部からのスタート入力やゲート入力等を受け付ける入力部１１と、外部からの通信コマンドを受け取って該当処理を実施した後レスポンスを送信する通信部１２と、外部へ出力信号を出力する出力部１３と、各部を制御する制御部１４とを備えている。
【００２３】
制御部１４は、ディップスイッチ８やキー操作部の操作によって設定された機能に応じた動作を行うように各部を制御する。
【００２４】
図４は、上述のディップスイッチ８の拡大図であり、第１から第８までの８個のディップスイッチ８1〜８8から構成されている。
【００２５】
この実施の形態では、上述のように、タイマまたはツインタイマのいずれの機種として動作させるかを、キー操作部によって選択できるものであり、タイマまたはツインタイマとして選択された各場合における各ディップスイッチ８1〜８8による機能設定の各項目を、図５に示す。
【００２６】
すなわち、タイマが選択されている場合には、第１のディップスイッチ８1は、これらディップスイッチ８による機能の設定が有効であるか無効であるかの有効／無効の選択設定を行うものであり、第２〜第４のディップスイッチ８2〜８4は、時間レンジの設定を行うものであり、第５，第６のディップスイッチ８5，８6は、出力モードの設定を行うものであり、第７のディップスイッチ８7は、ＵＰ／ＤＯＷＮモードの設定を行うものであり、第８のディップスイッチ８8は、入力信号時間の設定を行うものである。
【００２７】
また、ツインタイマが選択されている場合には、第１のディップスイッチ８1は、タイマの場合と同様に、ディップスイッチ８による機能の設定が有効であるか無効であるかの有効／無効の選択設定を行うものであり、第２，第３のディップスイッチ８2，８3は、ＯＦＦ時間レンジの設定を行うものであり、第４，第５のディップスイッチ８4，８5は、ＯＮ時間レンジの設定を行うものであり、第６のディップスイッチ８6は、ツインタイマ出力モードの設定を行うものであり、第７のディップスイッチ８7は、ＵＰ／ＤＯＷＮモードの設定を行うものであり、第８のディップスイッチ８8は、入力信号時間の設定を行うものである。
【００２８】
第１のディップスイッチ８1がＯＮされているときには、このディップスイッチ８で設定されている機能は有効となり、第１のディップスイッチ８1がＯＦＦされているときには、ディップスイッチ８で設定されている機能は無効となる。
【００２９】
次に、キー操作部のキー操作による機能設定等について説明する。この実施の形態のタイマ１は、図６に示されるように、電源をＯＮすると、運転状態となってその状態が表示部２に表示され、この状態で、キー操作部のモードキー３を３秒間押圧操作すると、機能設定のモードに移行して表示部２に表示され、また、この機能設定のモードにおいて、キー操作部のモードキー３を３秒間押圧操作すると、再び運転状態に戻る。
【００３０】
また、この運転状態において、キー操作部のモードキー３と第１のアップキー５とを同時に１秒間押圧操作すると、タイマまたはツインタイマのいずれの機種を選択するかの機種選択のモードに移行してそれが表示され、この機種選択のモードにおいて、キー操作部のモードキー３と第１のアップキー５とを同時に１秒間押圧操作すると、再び運転状態に戻る。
【００３１】
なお、運転状態および機能設定のモードでは、計時動作を行うことができるが、機種選択のモードでは、計時動作は停止される。
【００３２】
この実施の形態では、機種選択のモードにおいては、タイマまたはツインタイマの機種選択に加えて、第１〜第８の各ディップスイッチ８1〜８8の設定状態を表示部２でモニタできるように構成されている。
【００３３】
図７は、この機種選択のモードの動作を説明するための図である。機種選択のモードでは、先ず、タイマまたはツインタイマのいずれかを選択するモードとなって、表示部２には、例えば、タイマであることを示す表示Ａがなされ、この状態において、アップキー５を操作する度に、タイマまたはツインタイマが交互に選択設定され、ダウンキー６を操作する度に、アップキーとは逆方向にタイマまたはツインタイマが交互に選択設定される。
【００３４】
このタイマまたはツインタイマの選択のモードからキー操作部のモードキー３を操作すると、ディップスイッチ８の設定状態モニタのモードに移行することができ、表示部２には、例えば、第１のディップスイッチ８1がＯＦＦ状態であることを示す表示Ｂがなされる。
【００３５】
この状態において、アップキー５を操作する度に、第１〜第８の各ディップスイッチ８1〜８8の設定状態が、順番にサイクリックに表示され、ダウンキー６を操作する度に、アップキーとは逆方向に各ディップスイッチ８1〜８8の設定状態が、順番にサイクリックに表示される。
【００３６】
タイマ１は、制御盤に形成された開口部から該タイマ１の前面が外部に臨むように制御盤内に装着されるので、本体ケース７の上面のディップスイッチ８は、制御盤内に収納されて外部から目視できないことになるが、前面のキー操作部の操作によって、第１〜第８の各ディップスイッチ８1〜８8の設定状態を、前面の表示部２に表示できるので、容易に制御盤内部のディップスイッチ８の設定状態を確認できることになる。
【００３７】
この機種選択のモードにおいては、キー操作部のモードキー３を操作する度に、タイマまたはツインタイマの機種選択と、ディップスイッチ８の設定状態のモニタとを交互に切り換えることができる。
【００３８】
図８は、上述の機能設定のモードを説明するための図であり、この図８においては、機種としてタイマが選択され、第１のディップスイッチ８1がＯＦＦされてディップスイッチ８による設定が無効である場合を示している。
【００３９】
この機能設定モードにおいては、キー操作部のモードキー３を操作する度に、矢符で示されるように、設定できる機能が順番に切り換わって表示部２には、対応する表示がなされる。例えば、時間レンジを設定するための表示Ｃ、ＵＰ／ＤＯＷＮモードを設定するための表示Ｄ、出力モードを設定するための表示Ｅ、出力時間を設定するための表示Ｆ、入力時間を設定するための表示Ｇ、ＮＰＮ／ＰＮＰ入力モードの切り換え設定のための表示Ｈ、表示色切り換え設定のための表示Ｉまたはキープロテクトレベル設定のための表示Ｊがなされる。
【００４０】
各機能の設定のための表示Ｃ〜Ｊにおいて、アップキー５、ダウンキー６を操作して、各設定項目の所望の内容を選択して設定することになる。
【００４１】
例えば、時間レンジを設定する場合には、上述の表示Ｃにおいて、アップキー５、ダウンキー６を操作して、時間レンジを所望の時間レンジに変更して設定するのである。この設定時には、アップキー５、ダウンキー６の操作に応じて、対応する表示がなされることになる。
【００４２】
さらに、この実施の形態では、第１のディップスイッチ８1がＯＮされてディップスイッチ８による設定が有効である場合には、既にディップスイッチ８によって設定されている機能、この図８においては、時間レンジを設定するための表示Ｃ、ＵＰ／ＤＯＷＮモードを設定するための表示Ｄ、出力モードを設定するための表示Ｅ、入力信号時間を設定するための表示Ｇは、表示されず、かかる機能設定の項目は、自動的にスキップされることになり、従来例のように不必要な設定項目をスキップするためのキー操作が不要となる。
【００４３】
（その他の実施の形態）
上述の実施の形態では、ディップスイッチ８の設定の有効または無効の切り換え選択を、ディップスイッチ８側で行ったけれども、本発明の他の実施の形態として、キー操作部のキー操作によって行うようにしてもよい。
【００４４】
上述の実施の形態では、タイマに適用して説明したけれども、本発明は、タイマに限らず、カウンタや温度調節器等の他の制御機器にも同様に適用できるものである。
【００４５】
【発明の効果】
以上のように本発明によれば、前面の操作キーによる機能設定と、例えば、本体ケースの上面といった前面以外の外周面に配置されたディップスイッチ等の設定スイッチによる機能設定とを行えるので、機能設定の数が少なくてもよいユーザは、設定スイッチによって必要な機能の設定を行える一方、多くの機能設定が必要なユーザは、設定スイッチと操作キーとを併用することによって、従来例よりも簡単に、必要な機能設定を行えることになる。
【図面の簡単な説明】
【図１】本発明の一つの実施の形態に係るタイマの正面図である。
【図２】図１のタイマの平面図である。
【図３】図１のタイマの機能ブロック図である。
【図４】ディップスイッチの拡大図である。
【図５】ディップスイッチによる機能設定の項目を示す図である。
【図６】キー操作による各モードへの移行を示す図である。
【図７】機種選択およびディップスイッチのモニタのモードを説明するための図である。
【図８】機能設定のモードを説明するための図である。
【符号の説明】
１                          タイマ
２                          表示部
３                          モードキー
４                          リセットキー
５                          アップキー
６                          ダウンキー
８                          ディップスイッチ
【図１】
0004023102.tif 000002
【図２】
0004023102.tif 000003
【図３】
0004023102.tif 000004
【図４】
0004023102.tif 000005
【図５】
0004023102.tif 000006
【図６】
0004023102.tif 000007
【図７】
0004023102.tif 000008
【図８】
0004023102.tif 000009